(57)【要約】【課題】  販売店での商品のディスプレーの面からは、ゴルフボール全体の姿、形を見ることができ、ゴルフプレーで使用した後のゴルフボールを収容しておくのに適し、紙製の箱のように水に弱く、かつこわれ易くなく、繰り返し使用に耐え、ゴミにならず、ゴルフボールを収容した状態での持ち運びにも便利なゴルフボール容器を提供する。【解決手段】  多数のゴルフボールＢを収容できる筒形形状のゴルフボール容器であって、上面が開口した本体部１と、この本体部１の開口をふさぐとともに部分的に本体部１と連結された蓋部２とを備え、前記本体部１を中味を外部から確認できる透明な非浸水性材料で形成し、前記蓋部２と本体部１とを両者が連結された連結部３を除くほぼ全周にわたってスライドファスナー４で開閉可能に構成し、前記連結部３と反対側の蓋部２との間に把手５を設けた。【選択図】  図１
0003106715.tif 000002
【実用新案登録請求の範囲】
【請求項１】
多数のゴルフボールを収容できる筒形形状のゴルフボール容器であって、
上面が開口した本体部と、この本体部の開口をふさぐとともに部分的に本体部と連結された蓋部とを備え、
前記本体部を中味を外部から確認できる透明な非浸水性材料で形成し、
前記蓋部と本体部とを両者が連結された連結部を除くほぼ全周にわたってスライドファスナーで開閉可能に構成し、
前記連結部と反対側の蓋部との間に把手を設けたことを特徴とするゴルフボール容器。
【請求項２】
前記スライドファスナーは、２つのスライダーを備えていることを特徴とする請求項１に記載のゴルフボール容器。
【請求項３】
前記蓋部を外部から確認できる透明な非浸水性材料で形成したことを特徴とする請求項１又は２に記載のゴルフボール容器。
【請求項４】
前記本体部の底部分と側周部分との境界及びその近傍に補強材を取り付けたことを特徴とする請求項１ないし３のいずれか１項に記載のゴルフボール容器。
【請求項５】
前記蓋部の天板部分と側周部分との境界及びその近傍に補強材を取り付けたことを特徴とする請求項１ないし４のいずれか１項に記載のゴルフボール容器。
【請求項６】
前記把手の一端は、本体部側に取り付けたスライドファスナーのテープと蓋部側に取り付けたスライドファスナーのテープとの間にまたがって固着され、把手の他端は、蓋部側に取り付けられたスライドファスナーのテープに固着されていることを特徴とする請求項１ないし５のいずれか１項に記載のゴルフボール容器。
【請求項７】
前記本体部と蓋部とを仕切る取り外し可能な仕切部材を本体部内へ収容したことを特徴とする請求項１ないし６のいずれか１項に記載のゴルフボール容器。
【請求項８】
前記仕切部材に商品説明、宣伝などを印刷したことを特徴とする請求項７に記載のゴルフボール容器。
【請求項９】
前記仕切部材で仕切られた蓋部内の空間にティーなどのボール以外のゴルフ用品を収容したことを特徴とする請求項７又は８に記載のゴルフボール容器。
【考案の詳細な説明】
【技術分野】
【０００１】
本考案は、ゴルフボールを収容する容器に関し、販売店でのディスプレー用としても、持ち運びにも便利なゴルフボール容器に関する。
【背景技術】
【０００２】
従来のゴルフボール容器としては、図８に示すように、内箱１００に２個以上のゴルフボールＢを直列に収容し、本体２００Ａと蓋２００Ｂとからなる外箱２００の本体２００Ａ内に複数の内箱１００を詰め合わせて蓋２００Ｂをかぶせていた。ゴルフボールＢは、通常半ダース、１ダースあるいは２ダースで販売しているため、内箱１００にゴルフボールＢを３個入れる場合は、４つの内箱１００を本体２００Ａに収容して蓋２００Ｂをかぶせて１ダースとして販売されていた。
【０００３】
前記内箱及び外箱は、紙製で、紙に所要事項を印刷させている。また、内箱には、販売店で中味が見えるように、透明樹脂フィルムを一部分に貼り付けた窓を設ける場合が多い。
【０００４】
ゴルフボールを内箱に収容し、この内箱を外箱に詰めて１ダースあるいは２ダースとして販売する従来方式では、内箱と外箱の二重箱構造となり、過剰包装になっているとともに、製造コストもかかり、重量及び嵩の増加となり、大量に搬送する場合には運送コストも高くなる。さらには、資源を無駄に消費することにもなる。また、ゴルフボールを取り出す場合、外箱から内箱を取り出し、内箱の蓋を開くという二度手間を要する。
【０００５】
上述したような欠点をなくすために、２個以上のゴルフボールを直列に収容した状態で蓋部を折り曲げて閉鎖している内箱を備え、これら内箱を２個以上並設し、並設した内箱の外面全体を透明フィルムで外装し、上記外装する透明フィルムには、上記蓋部に近接した外周部分に、全周にかけて開封テープを介在させて蓋側外装部分と本体側外装部分とに分け、上記開封テープの一端を引っ張って蓋側外装部分を本体側外装部分とを分離可とし、本体側外装部分で内箱を並列保持した状態で蓋側外装部分を除去して内箱よりゴルフボールを取り出せる構成としたものが開発された（特許文献１参照）。
【特許文献１】特開２００２−３０８３３０号公報（第３頁、図１）
【考案の開示】
【考案が解決しようとする課題】
【０００６】
特許文献１に記載のものは、従来の外箱の替りに透明フィルムを用いたものであり、外箱の製作コスト低減や重量軽減による搬送コストの低減を図ることができるが、透明フィルムも内箱もゴルフボール使用後には捨てられ、ゴミとなるものである。また、内箱も一部に透明な窓を有するだけのものであり、透明フィルムを開封する前では、この透明窓からゴルフボールの番号を確認できない場合もあり、販売店における商品の展示が不十分なものであった。さらに、透明フィルムで複数の内箱が包装されているため、内箱１つだけの購入もできないものであった。さらにまた、紙製であるために水に濡れると商品価値がなくなるものであった。
【０００７】
そこで、本考案は、販売店での商品のディスプレーの面からは、ゴルフボール全体の姿、形を見ることができ、ゴルフプレーで使用した後のゴルフボールを収容しておくのに適し、紙製の箱のように水に弱く、かつこわれ易くなく、繰り返し使用に耐え、ゴミにならず、ゴルフボールを収容した状態での持ち運びにも便利なゴルフボール容器を提供することを目的とする。
【課題を解決するための手段】
【０００８】
上述の目的を達成するため、本考案は、多数のゴルフボールを収容できる筒形形状のゴルフボール容器であって、上面が開口した本体部と、この本体部の開口をふさぐとともに部分的に本体部と連結された蓋部とを備え、前記本体部を中味を外部から確認できる透明な非浸水性材料で形成し、前記蓋部と本体部とを両者が連結された連結部を除くほぼ全周にわたってスライドファスナーで開閉可能に構成し、前記連結部と反対側の蓋部との間に把手を設けたものである。
【考案の効果】
【０００９】
本考案は、多数のゴルフボールを収容できる筒形形状のゴルフボール容器であって、上面が開口した本体部と、この本体部の開口をふさぐとともに部分的に本体部と連結された蓋部とを備え、前記本体部を中味を外部から確認できる透明な非浸水性材料で形成し、前記蓋部と本体部とを両者が連結された連結部を除くほぼ全周にわたってスライドファスナーで開閉可能に構成し、前記連結部と反対側の蓋部との間に把手を設けたものであるため、販売店で展示する場合に、透明な本体部の中をユーザーが見ることができ、プレー後に使用したボールを再び収容しておくことができ、使い捨て容器ではなく、繰り返し使用することができ、ボール使用後にすぐにゴミになるものではない。また、本体部は非浸水性材料で形成してあるので、水に濡れても破損することはなく、さらに、把手があるので多数のボールの持ち運びに便利である。
【考案を実施するための最良の形態】
【００１０】
以下に本考案の実施形態を図面を参照にして説明する。
【００１１】
図１において、多数のゴルフボールＢを収容できる筒形形状のゴルフボール容器が、上面が開口した本体部１と、この本体部１の開口をふさぐとともに部分的に本体部１と連結された蓋部２とを備え、連結部３と反対側の蓋部２との間に把手５を設けてある。把手５は屈曲摩耗や摩擦摩耗性に秀れたナイロン繊維を織物とした帯状のものとした。前記本体部１と蓋部２とが、中味を外部から確認できる透明な非浸水性材料、例えば透明なプラスチック材料から形成されている。この材料としては、硬質なものであっても良いが、柔らかくフレキシブルなものが好適に用いられる。例えば、低密度ポリエチレンが、耐候性及び耐水性等で秀れているので好ましい。また、この材料は、軽量であり、吸水率も非常に低いので屋外での取り扱いに便利である。なお、本体部１のみを透明にして、蓋部２は非透明であっても良い。また、本体部１と蓋部２とがスライドファスナー４で開閉可能につながっている。このスライドファスナー４は、連結部３を除く全周にわたって取り付けてあり、２つのスライダー４Ａ，４Ｂを備えている。また、スライドファスナー４のテープ４０は本体部１に取り付けられ、テープ４１は蓋部２に取り付けられている。
【００１２】
前記本体部１は、底部分１Ａと側周部分１Ｂとを有し、これらの境界及びその近傍に補強材６を取り付けてある。さらに、蓋部２は、天板部分２Ａと側周部分２Ｂとを有し、これらの境界及びその近傍に補強材７を取り付けてある。これらの補強材６，７としては、玉縁処理を施したものであっても良い。補強材６，７としては、塩化ビニルを使用した。
【００１３】
図２は、本体部１内へゴルフボールＢを収容し、これらゴルフボールＢの上に仕切部材８を設け、蓋部２内へティーなどのゴルフ用具９を収容した状態を示す。なお、把手５の連結部３を形成する一端とは反対側の他端５Ａは、テープ４１に固着してある。前記連結部３は、把手５の一端を両テープ４０，４１に固着してある。
【００１４】
図３は、分解斜視図であり、ゴルフボールＢを本体部１内へ収容した後に、天板部８Ａと一対の脚部８Ｂとを備えた仕切部材８をゴルフボールＢにかぶせるように本体部１内へ挿入する。挿入された仕切部材８は、本体部１と蓋部２との空間を仕切る。この仕切部材８の天板部８Ａ上にティーなどのゴルフ用具９を収容する。ティーの他にグローブやマーカーなどであっても良い。また、脚部８Ｂと天板部８Ａとの境目には、切れ目８Ｃを入れてある。
【００１５】
図４は、ゴルフボールＢを収容した状態の下から見た斜視図であり、仕切部材８には、商品の説明や宣伝などが印刷される。ゴルフボールＢを使用するときに、スライドファスナー４を開け、仕切部材８の天板部８Ａを切れ目８Ｃの個所を左右にして持ち上げれば、ゴルフボールＢを容易に取り出せる。すなわち、仕切部材８がゴルフボールＢの取り出しに際して邪魔にならない。
【００１６】
図５は、スライドファスナー４を閉じた状態の拡大した部分の斜視図であり、２つのスライダー４Ａ，４Ｂを明示する。また、図６及び図７は、連結部３の構造を示し、スライドファスナー４のテープ４０，４１の端同士を重ね合わせ、把手５の一端をこれらテープ４０，４１の重合部分に逢着して固着した。逢着部を符号３Ａで示す。
【図面の簡単な説明】
【００１７】
【図１】斜視図。
【図２】使用状態の斜視図。
【図３】分解斜視図。
【図４】下から見た斜視図。
【図５】スライドファスナーの部分的拡大図。
【図６】連結部の連結前斜視図。
【図７】連結部の内側から見た斜視図。
【図８】従来例を示す斜視図。
【符号の説明】
【００１８】
１  本体部
２  蓋部
３  連結部
４  スライドファスナー
５  把手
【図１】
0003106715.tif 000003
【図２】
0003106715.tif 000004
【図３】
0003106715.tif 000005
【図４】
0003106715.tif 000006
【図５】
0003106715.tif 000007
【図６】
0003106715.tif 000008
【図７】
0003106715.tif 000009
【図８】
0003106715.tif 000010